(57)【要約】【課題】組み立てが煩雑化したり高コスト化したりすることなく、直管の反りを抑制することのできる照明用光源を提供する。【解決手段】長尺状の筐体２０と、筐体２０内に収納され、金属板を変形させることによって構成された長尺状の第１基台５０と、第１基台５０の上に配置された長尺状の基板１１と、基板１１の上に配置されたＬＥＤ１２とを備え、第１基台５０は、筐体２０の内面と接着剤によって固定される固定部５４を有し、固定部５４は、筐体２０の内面に向かって突出するように第１基台５０の一部を変形させたものである。【選択図】図２
2014072153.tif 000002
【特許請求の範囲】
【請求項１】
長尺状の筐体と、
前記筐体内に収納され、金属板を変形させることによって構成された長尺状の基台と、
前記基台の上に配置された長尺状の基板と、
前記基板の上に配置された発光素子とを備え、
前記基台は、前記筐体の内面と接着剤によって固定される固定部を有し、
前記固定部は、前記筐体の内面に向かって突出するように前記基台の一部を変形させたものである
照明用光源。
【請求項２】
前記固定部は、前記基台の長手方向に沿って断続的に複数形成されている
請求項１に記載の照明用光源。
【請求項３】
前記固定部は、前記基台に形成された２本のスリットの間の部分を突出させたものである
請求項１又は２に記載の照明用光源。
【請求項４】
前記固定部が、前記基台の底部の一部を変形させたものであり、
前記固定部と前記底部とを繋ぐ接続部の幅は、前記固定部の幅よりも狭い
請求項１〜３のいずれか１項に記載の照明用光源。
【請求項５】
前記筐体は、ガラス製であり、
前記基台は、亜鉛めっき鋼板である
請求項１〜４のいずれか１項に記載の照明用光源。
【請求項６】
前記接着剤は、シリコーン樹脂である
請求項１〜５のいずれか１項に記載の照明用光源。
【請求項７】
請求項１〜６のいずれか１項に記載の照明用光源を備える
照明装置。
【発明の詳細な説明】
【技術分野】
【０００１】
本発明は、照明用光源及び照明装置に関し、特に、発光ダイオード（ＬＥＤ：Ｌｉｇｈｔ  Ｅｍｉｔｔｉｎｇ  Ｄｉｏｄｅ）を用いた直管形のＬＥＤランプに関する。
【背景技術】
【０００２】
ＬＥＤは、高効率及び長寿命であることから、従来から知られる蛍光灯や白熱電球等の各種ランプにおける新しい光源として期待されており、ＬＥＤを用いたランプ（ＬＥＤランプ）の研究開発が進められている。
【０００３】
ＬＥＤランプとしては、両端部に電極コイルを有する直管形蛍光灯に代替する直管形のＬＥＤランプ（直管形ＬＥＤランプ）、あるいは、電球形蛍光灯や白熱電球に代替する電球形のＬＥＤランプ（電球形ＬＥＤランプ）等がある。例えば、特許文献１には、従来の直管形ＬＥＤランプが開示されている。
【先行技術文献】
【特許文献】
【０００４】
【特許文献１】特開２００９−０４３４４７号公報
【発明の概要】
【発明が解決しようとする課題】
【０００５】
直管形ＬＥＤランプは、例えば、長尺状の透光性の直管と、直管の長手方向の両端部に設けられた一対の口金と、直管に収納された基台と、基台の上に配置された複数のＬＥＤモジュールと、ＬＥＤモジュールを点灯させるための点灯回路等とを備える。
【０００６】
各ＬＥＤモジュールは、基板と、基板の上に実装された複数のＬＥＤと、基板上にパターン形成された金属配線と、基板上に設けられた接続端子（コネクタ）等とによって構成されている。
【０００７】
このような直管形ＬＥＤランプにおいて、ＬＥＤモジュールを載置するための基台は、シリコーン樹脂等の接着剤によって直管の内面に固着されている。
【０００８】
この場合、長尺状の基台の裏面全面に接着剤を塗布すると、直管が反ってしまうという問題がある。この結果、ランプの配光特性が劣化したり、直管形ＬＥＤランプを正しい姿勢で照明器具に装着できなくなったりする。
【０００９】
また、直管の反りを発生させないように、基台と直管とを固定するための固定部材を別途用いると、基台と直管との組み立てが煩雑になったり高コスト化したりしてしまう。
【００１０】
本発明は、このような問題を解決するためになされたものであり、組み立てが煩雑化したり高コスト化したりすることなく、直管の反りを抑制することのできる照明用光源及び照明装置を提供することを目的とする。
【課題を解決するための手段】
【００１１】
上記目的を達成するために、本発明に係る照明用光源の一態様は、長尺状の筐体と、前記筐体内に収納され、金属板を変形させることによって構成された長尺状の基台と、前記基台の上に配置された長尺状の基板と、前記基板の上に配置された発光素子とを備え、前記基台は、前記筐体の内面と接着剤によって固定される固定部を有し、前記固定部は、前記筐体の内面に向かって突出するように前記基台の一部を変形させたものであることを特徴とする。
【００１２】
また、本発明に係る照明用光源の一態様において、前記固定部は、前記基台の長手方向に沿って断続的に複数形成されている、としてもよい。
【００１３】
また、本発明に係る照明用光源の一態様において、前記固定部は、前記基台に形成された２本のスリットの間の部分を突出させたものである、としてもよい。
【００１４】
また、本発明に係る照明用光源の一態様において、前記固定部が、前記基台の底部の一部を変形させたものであり、前記固定部と前記底部とを繋ぐ接続部の幅は、前記固定部の幅よりも狭い、としてもよい。
【００１５】
また、本発明に係る照明用光源の一態様において、前記筐体は、ガラス製であり、前記基台は、亜鉛めっき鋼板である、としてもよい。
【００１６】
また、本発明に係る照明用光源の一態様において、前記接着剤は、シリコーン樹脂である、としてもよい。
【００１７】
また、本発明に係る照明装置の一態様は、上記いずれかの照明用光源を備えることを特徴とする。
【発明の効果】
【００１８】
本発明によれば、組み立てが煩雑化したり高コスト化したりすることなく、直管の反りを抑制することができる。
【図面の簡単な説明】
【００１９】
【図１】図１は、本発明の実施の形態に係る直管形ＬＥＤランプの概観斜視図である。
【図２】図２は、本発明の実施の形態に係る直管形ＬＥＤランプの分解斜視図である。
【図３】図３は、本発明の実施の形態に係る直管形ＬＥＤランプの分解平面図である。
【図４】図４は、本発明の実施の形態に係るＬＥＤモジュールの斜視図である。
【図５Ａ】図５Ａは、本発明の実施の形態に係る直管形ＬＥＤランプにおける給電用口金の周辺構成を示す斜視図（第１給電用口金本体部を外した状態）である。
【図５Ｂ】図５Ｂは、本発明の実施の形態に係る直管形ＬＥＤランプにおける給電用口金の周辺構成を示す分解斜視図である。
【図６Ａ】図６Ａは、本発明の実施の形態に係る直管形ＬＥＤランプにおける非給電用口金の周辺構成を示す斜視図である。
【図６Ｂ】図６Ｂは、本発明の実施の形態に係る直管形ＬＥＤランプにおける非給電用口金の斜視図（第１非給電用口金本体部を外した状態）である。
【図７】図７は、本実施の形態に係る直管形ＬＥＤランプの第１基台の構成を示す図である。
【図８】図８は、本実施の形態に係る直管形ＬＥＤランプの第１基台の要部拡大斜視図（図７の破線で囲まれる領域Ｐの拡大図）である。
【図９】図９は、本実施の形態に係る直管形ＬＥＤランプの第１基台の要部拡大斜視図（図７の破線で囲まれる領域Ｑの拡大図）である。
【図１０】図１０は、本発明の実施の形態に係る直管形ＬＥＤランプの一部拡大側面図である。
【図１１Ａ】図１１Ａは、図１０のＡ−Ａ’線における本発明の実施の形態に係る直管形ＬＥＤランプの断面図である。
【図１１Ｂ】図１１Ｂは、図１０のＢ−Ｂ’線における本発明の実施の形態に係る直管形ＬＥＤランプの断面図である。
【図１１Ｃ】図１１Ｃは、図１０のＣ−Ｃ’線における本発明の実施の形態に係る直管形ＬＥＤランプの断面図である。
【図１２】図１２は、本発明の実施の形態に係る照明装置の概観斜視図である。
【図１３】図１３は、本発明の実施の形態に係る直管形ランプにおける第１基台の変形例の構成を示す図である。
【図１４】図１４は、本発明の実施の形態に係る直管形ランプにおけるＬＥＤモジュールの変形例の構成を示す斜視図である。
【発明を実施するための形態】
【００２０】
以下、本発明の実施の形態に係る照明用光源及び照明装置について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態、工程、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００２１】
なお、各図は、模式図であり、必ずしも厳密に図示されたものではない。また、各図において、同じ構成部材については同じ符号を付している。
【００２２】
以下の実施の形態では、照明用光源の一例として、直管形ＬＥＤランプについて説明する。
【００２３】
［ランプの全体構成］
まず、本発明の実施の形態に係る直管形ＬＥＤランプ１の構成について、図１〜図３を用いて説明する。図１は、本実施の形態に係る直管形ＬＥＤランプの概観斜視図である。図２は、本実施の形態に係る直管形ＬＥＤランプの分解斜視図である。図３は、本実施の形態に係る直管形ＬＥＤランプの分解平面図である。
【００２４】
本実施の形態に係る直管形ＬＥＤランプ１は、従来の直管形蛍光灯に代替する直管形ＬＥＤランプであって、例えば、全長が直管４０形蛍光灯と同じである４０形の直管形ＬＥＤランプである。
【００２５】
図１に示すように、直管形ＬＥＤランプ１は、ＬＥＤモジュール１０と、ＬＥＤモジュール１０を収納する長尺状の筐体２０と、筐体２０の長手方向（管軸方向）の一方の端部に設けられた第１口金である給電用口金（給電側口金）３０と、筐体２０の長手方向の他方の端部に設けられた第２口金である非給電用口金（非給電側口金）４０とを備える。
【００２６】
図２に示すように、直管形ＬＥＤランプ１は、さらに、ＬＥＤモジュール１０が配置されるヒートシンク（第１基台５０及び第２基台６０）と、ＬＥＤモジュール１０が発する光を所定の方向に反射する反射部材７０と、ＬＥＤモジュール１０を点灯させるための点灯回路８０と、筐体２０内の構成部材同士の電気的接続を行うためのコネクタ線９０とを備える。なお、本実施の形態における直管形ＬＥＤランプ１では、ＬＥＤモジュール１０が給電用口金３０のみの片側一方から給電を受ける片側給電方式が採用されている。
【００２７】
以下、直管形ＬＥＤランプ１の各構成要素について、図２及び図３を参照しながら詳述する。
【００２８】
［ＬＥＤモジュール］
図２及び図３に示すように、ＬＥＤモジュール１０は、長尺状であり、筐体２０の管軸方向に沿って複数枚配置される。複数のＬＥＤモジュール１０は、それらの長手方向が筐体２０の長手方向となるように隣接して並べられている。具体的には、ＬＥＤモジュール１０の基板１１が、第２基台６０の上に隣接して配置されている。なお、本実施の形態では、４つのＬＥＤモジュール１０（４つの基板１１）を用いている。
【００２９】
ここで、各ＬＥＤモジュール１０の詳細構成について、図４を用いて説明する。図４は、本実施の形態に係るＬＥＤモジュールの斜視図である。
【００３０】
図４に示すように、ＬＥＤモジュール１０は、ＬＥＤチップが基板上に直接実装されたＣＯＢ（Ｃｈｉｐ  Ｏｎ  Ｂｏａｒｄ）型の発光モジュールであって、基板１１と、複数のＬＥＤ（ベアチップ）１２と、ＬＥＤ１２を封止する封止部材１３と、ＬＥＤモジュールの外部からＬＥＤ１２を発光させるための電力の供給を受ける接続端子１４とを備える。
【００３１】
基板１１は、ＬＥＤ１２を実装するための実装基板（絶縁基板）である。本実施の形態では、基板１１として、筐体２０の管軸方向に長尺状をなす矩形基板を用いている。基板１１は、ＬＥＤ１２が実装される面が第１主面（表面）であり、当該第１主面とは反対側の面が第２主面（裏面）である。ＬＥＤ１２は、基板１１の第１主面にのみ実装されており、第２主面にはＬＥＤ１２は実装されていない。なお、後述するように、ＬＥＤモジュール１０は、基板１１の第２主面と第２基台６０の載置面とが接触するようにして、第２基台６０に載置される。
【００３２】
基板１１としては、アルミナや窒化アルミニウム等からなるセラミックス基板、樹脂をベースとする樹脂基板、アルミニウム合金などの金属をベースとするメタルベース基板、又は、ガラスからなるガラス基板等を用いることができる。樹脂基板としては、例えば、ガラス繊維とエポキシ樹脂とからなるガラスエポキシ基板（ＣＥＭ−３、ＦＲ−４等）、紙フェノールや紙エポキシからなる基板（ＦＲ−１等）、又は、ポリイミド等からなる可撓性を有するフレキシブル基板を用いることができる。メタルベース基板としては、例えば、アルミニウム合金基板、鉄合金基板又は銅合金基板等を用いることができる。
【００３３】
また、基板１１の長手方向の長さ（長辺の長さ）をＬ１（ｍｍ）とし、基板１１の短手方向の長さ（短辺の長さ）をＬ２（ｍｍ）とすると、Ｌ１＝１００ｍｍ〜６００ｍｍであり、Ｌ２＝１０ｍｍ〜４０ｍｍである。なお、本実施の形態における基板１１は、Ｌ１＝２８０ｍｍ、Ｌ２＝１５ｍｍで、厚みが１．０ｍｍのものを用いている。
【００３４】
ＬＥＤ１２は、発光素子の一例であって、所定の電力により発光する半導体発光素子である。図４に示すように、基板１１には、複数のＬＥＤ１２が基板１１の長手方向に沿ってライン状に一列配置されている。各ＬＥＤ１２は、単色の可視光を発するベアチップであり、ダイアタッチ材（ダイボンド材）によって基板１１上にダイボンディングされている。基板１１上の複数のＬＥＤ１２は、全て特性が同じものが用いられており、例えば通電されると青色光を発光する青色ＬＥＤチップである。青色ＬＥＤチップとしては、例えばＩｎＧａＮ系の材料によって構成された、中心波長が４４０ｎｍ〜４７０ｎｍの窒化ガリウム系の半導体発光素子を用いることができる。
【００３５】
各ＬＥＤ１２は、基板１１上に形成された金属配線（不図示）又は金ワイヤ（不図示）等によって、直列接続、並列接続、又は直列接続と並列接続との組み合わせ接続となるように構成することができる。
【００３６】
封止部材１３は、光波長変換体である蛍光体を含む蛍光体含有樹脂であって、ＬＥＤ１２からの光を所定の波長に波長変換（色変換）する波長変換部材であるとともに、ＬＥＤ１２を樹脂封止してＬＥＤ１２を保護する保護部材である。本実施の形態において、封止部材１３は、波長変換材として蛍光体粒子を含有する絶縁性樹脂材料によって構成されている。封止部材１３における蛍光体粒子は、ＬＥＤ１２が発する光によって励起されて所望の色（波長）の光を放出する。
【００３７】
また、封止部材１３は、一列配置された複数のＬＥＤ１２を一括封止するように直線状に形成されている。本実施の形態では、全てのＬＥＤ１２を一括封止している。このように、封止部材１３が個々のＬＥＤ１２を封止するのではなく複数のＬＥＤ１２を一括して封止しているので、隣り合うＬＥＤ１２間の封止部材１３からも白色光を放出させることができる。これにより、ＬＥＤ１２の上方のみの輝度が高くなることを抑制することができ、輝点（つぶつぶ感）を低減することができる。
【００３８】
封止部材１３としては、例えばＬＥＤ１２が青色ＬＥＤである場合、白色光を得るために、ＹＡＧ（イットリウム・アルミニウム・ガーネット）系の黄色蛍光体粒子をシリコーン樹脂等の樹脂材料に分散させた蛍光体含有樹脂を用いることができる。これにより、黄色蛍光体粒子は青色ＬＥＤチップの青色光によって励起されて黄色光を放出するので、封止部材１３からは、励起された黄色光と青色ＬＥＤチップの青色光とが、封止部材１３の中で拡散及び混合されることにより、封止部材１３から白色光となって出射される。
【００３９】
本実施の形態において、封止部材１３は、シリコーン樹脂に所定の蛍光体粒子を分散させた蛍光体含有樹脂としており、ディスペンサーによって基板１１の表面に塗布して形成することができる。この場合、封止部材１３の長手方向に垂直な断面における当該封止部材１３の形状は、ドーム形状の断面形状や略半円形となる。なお、封止部材１３に、さらにシリカ等の光拡散材を含有させても構わない。また、演色性を高めるために、必要に応じて赤色蛍光体粒子等の黄色以外の他の色を蛍光発光する蛍光体粒子を含有させても構わない。
【００４０】
接続端子１４は、ＬＥＤ１２を発光させるための直流電力を受電する外部接続端子（コネクタ）であり、ＬＥＤ１２と電気的に接続されている。接続端子１４は、基板１１の上の所定の箇所に設けられている。本実施の形態において、接続端子１４は、基板１１の長手方向の両端部における基板１１の長辺近傍に設けられており、この２つの接続端子１４は、封止部材１３を基準として基板１１の一方の長辺側に片寄せられている。
【００４１】
また、本実施の形態における接続端子１４は、ソケット型に構成されており、樹脂製のソケットと、直流電力を受電するための導電ピンとを有する。当該導電ピンは、基板１１上に形成された金属配線と電気的に接続されている。なお、接続端子１４（ソケット）にコネクタ線９０の装着部９１が装着されることにより、接続端子１４はコネクタ線９０から電力の供給を受けることができる状態となる。なお、接続端子１４としては、樹脂ソケットではなく、矩形状にパターン形成されたランド状の金属配線（金属電極）とすることもできる。
【００４２】
なお、図示しないが、基板１１の第１主面には金属配線が形成されている。金属配線は、ＬＥＤ１２同士を電気的に接続したり、ＬＥＤ１２と接続端子１４とを接続したりするために、基板１１上に所定形状でパターン形成されている。また、ＬＥＤ１２を保護するために、保護素子（ツェナーダイオード）が基板１１の第１主面に実装されていてもよい。さらに、ＬＥＤモジュール１０の放熱性を向上させるために、放熱用の金属膜や金属パターンが基板１１の第２主面に形成されていてもよい。さらに、基板１１の絶縁性を向上させるために、基板１１の第１主面及び第２主面に白レジスト等の絶縁膜が形成されていてもよい。
【００４３】
［筐体］
筐体２０は、長尺状の透光性カバーの一例であって、ＬＥＤモジュール１０が配置された第１基台５０及び第２基台６０を覆うように構成されている。本実施の形態における筐体２０は、透光性を有する直管であり、図２に示すように、両端部に開口を有する長尺筒状の外郭部材（外挿管）である。筐体２０には、ＬＥＤモジュール１０、第１基台５０、第２基台６０及び点灯回路８０等が収納される。本実施の形態において、筐体２０は、円筒状のものを用いているが、必ずしも円筒状である必要はなく、角筒状のものを用いても構わない。
【００４４】
筐体２０は、透光性材料によって構成することができ、ガラス製のガラス管（ガラスバルブ）又は樹脂製のプラスチック管等を用いることができる。例えば、筐体２０として、シリカ（ＳｉＯ２）が７０〜７２［％］のソーダ石灰ガラスによって構成されたガラス管、あるいは、ポリカーボネート等の樹脂材料からなるプラスチック管を用いることができる。本実施の形態では、筐体２０として、直管４０形蛍光灯に用いられるものと同じガラス管（全長が約１１６７ｍｍ）を用いている。
【００４５】
また、筐体２０に、ＬＥＤモジュール１０からの光を拡散させるための光拡散機能を有する光拡散部を設けてもよい。これにより、ＬＥＤモジュールから放射された光を、筐体２０を通過する際に拡散させることができる。光拡散部としては、例えば、筐体２０の内面又は外面に形成された光拡散シート又は光拡散膜等がある。具体的には、シリカや炭酸カルシウム等の光拡散材（微粒子）を含有する樹脂や白色顔料を筐体２０の内面又は外面に付着させることで、乳白色の光拡散膜を形成することができる。その他の光拡散部として、筐体２０の内部又は外部に設けられたレンズ構造物、あるいは、筐体２０に形成された凹部又は凸部がある。例えば、筐体２０の内面又は外面にドットパターンを印刷したり、筐体２０の一部を加工したりすることで、筐体２０に光拡散機能（光拡散部）を持たせることもできる。あるいは、筐体２０そのものを、光拡散材が分散された樹脂材料等を用いて成形することで、筐体２０に光拡散機能（光拡散部）を持たせることもできる。
【００４６】
［給電用口金］
給電用口金（第１口金）３０は、ＬＥＤ１２を発光させるための電力をランプ外部から受電する受電用口金であり、ＬＥＤモジュール１０への給電を行う。また、給電用口金３０は、照明器具のソケットに係止され、ＬＥＤランプを支持するように構成されている。給電用口金３０は、略有底円筒形状に構成されており、筐体２０の長手方向の一方を蓋するように設けられる。本実施の形態における給電用口金３０は、図２に示すように、ポリブチレンテレフタレート（ＰＢＴ）等の合成樹脂からなる樹脂製の給電用口金本体３１と、真ちゅう等の金属材料からなる一対の給電ピン３２とからなる。
【００４７】
また、本実施の形態における給電用口金３０は、当該給電用口金３０の軸方向に沿って複数に分割可能に構成されている。具体的には、給電用口金本体３１は、筐体２０の管軸を通る平面を分割面として上下半分に分解可能に構成されており、第１給電用口金本体部３１ａと第２給電用口金本体部３１ｂとの２つの部材によって構成される。
【００４８】
一対の給電ピン３２は、ＬＥＤモジュール１０に電力を供給するためのピンである。また、給電ピン３２は、ＬＥＤモジュール１０のＬＥＤ１２を点灯させるための電力を、照明器具等の外部機器から受ける受電ピンである。一対の給電ピン３２は、給電用口金本体３１の底部から外方に向かって突出するように構成されている。給電ピン３２は、照明器具のソケットに係止される。
【００４９】
例えば、給電用口金３０を照明器具のソケットに装着させることによって、一対の給電ピン３２は、照明器具に内蔵された電源装置（電源回路）から直流電力を受けられる状態となる。一対の給電ピン３２は、リード線３３によって筐体２０内の点灯回路８０と電気的に接続されており、一対の給電ピン３２が受電した直流電力は点灯回路８０に供給される。
【００５０】
なお、電源装置は、ランプ外部の照明器具に設けるのではなく、直管形ＬＥＤランプ１に内蔵させてもよい。この場合、一対の給電ピン３２は、例えば商用１００Ｖの交流電源から交流電力を受けて電源装置に供給することになり、電源装置によって交流電力が直流電力に変換される。
【００５１】
ここで、給電用口金３０の周辺構成について、図５Ａ及び図５Ｂを用いて説明する。図５Ａは、本実施の形態に係る直管形ＬＥＤランプにおける給電用口金の周辺構成を示す斜視図であり、第１給電用口金本体部３１ａを外した状態を示している。図５Ｂは、同給電用口金の周辺構成を示す分解斜視図である。なお、図５Ｂにおいて、筐体２０は図示していない。
【００５２】
図５Ａ及び図５Ｂに示すように、例えば半田によって、リード線３３の一端と給電ピン３２とを電気的及び物理的に接続するとともに、リード線３３の他端と点灯回路８０（出力ソケット８４）とを電気的及び物理的に接続した後、第２基台６０の上に点灯回路８０を配置する。次に、回路カバー８５を第１基台５０の第１壁部５１及び第２壁部５２に装着させることによって点灯回路８０を回路カバー８５で覆う。その後、第２基台６０を配置した第２給電用口金本体部３１ｂの溝部に給電ピン３２を取り付けた後、第１給電用口金本体部３１ａを第２給電用口金本体部３１ｂに嵌め込む。その後、第１給電用口金本体部３１ａと第２給電用口金本体部３１ｂとをネジ３４によってネジ止めする。これにより、第２基台６０が給電用口金３０に固定された状態で、給電用口金３０を筐体２０の一方の端部に取り付けることができる。
【００５３】
また、図５Ａ及び図５Ｂに示すように、給電用口金本体３１（第２給電用口金本体部３１ｂ）には、衝立状の一対の凸部３５が設けられている。一対の凸部３５は、リード線３３をガイドするガイド部である。すなわち、一対の凸部３５は、リード線３３を給電用口金本体３１内に配置する際に、リード線３３が給電用口金本体３１の結合部分（第１給電用口金本体部３１ａと第２給電用口金本体部３１ｂとの接続部分）及びネジ３４周辺の樹脂部分に巻き込まれないようにリード線３３の引き回し位置を規制するようにガイドする。具体的には、リード線３３は、２つの凸部３５の近傍において給電用口金本体３１の側面方向に向かって折り曲げられるようにして、２つの凸部３５の外側をまわって給電ピン３２に接続されている。これにより、リード線３３は、２つの凸部３５の外側に位置することになるので、第１給電用口金本体部３１ａと第２給電用口金本体部３１ｂとを嵌め合わせて給電用口金本体３１を組み立てる際に、リード線３３が給電用口金本体３１からはみ出して第１給電用口金本体部３１ａと第２給電用口金本体部３１ｂとの間に挟まったりネジ３４（ネジ孔）周辺に巻き込まれたりすることを回避できる。これにより、リード線３３が断線することを防止したり、給電用口金本体３１に隙間が生じたりすることを防止できる。
【００５４】
［非給電用口金］
非給電用口金４０は、照明器具のソケットに係止され、ＬＥＤランプを支持するように構成されている。非給電用口金４０は、略有底円筒形状に構成されており、筐体２０の長手方向の他方の端部を蓋するように設けられる。本実施の形態における非給電用口金４０は、図２に示すように、ＰＢＴ等の合成樹脂からなる非給電用口金本体４１と、真ちゅう等の金属材料からなる１本の非給電ピン４２とからなる。
【００５５】
また、本実施の形態における非給電用口金４０は、給電用口金３０と同様に、非給電用口金４０の軸方向に沿って複数に分割可能に構成されている。具体的には、非給電用口金本体４１は、筐体２０の管軸を通る平面を分割面として上下半分に分解可能に構成されており、第１非給電用口金本体部４１ａと第２非給電用口金本体部４１ｂとの２つの部材によって構成される。
【００５６】
非給電ピン４２は、非給電用口金本体４１の底部から外方に向かって突出するように構成される。非給電ピン４２は、照明器具のソケットに係止される。
【００５７】
ここで、非給電用口金４０の周辺構成について、図６Ａ及び図６Ｂを用いて説明する。図６Ａは、本実施の形態に係る直管形ＬＥＤランプにおける非給電用口金の周辺構成を示す斜視図である。図６Ｂは、同非給電用口金の斜視図であり、第１非給電用口金本体部４１ａを外した状態を示している。
【００５８】
図６Ａ及び図６Ｂに示すように、Ｌ字状の金属製の接続部材４３によって非給電ピン４２を第２基台６０に取り付けた後、反射部材７０を介して第１基台５０の上に第２基台６０を配置するとともに、非給電ピン４２を第２非給電用口金本体部４１ｂの溝部に取り付ける。次に、第１非給電用口金本体部４１ａを第２非給電用口金本体部４１ｂに嵌め込む。その後、第１非給電用口金本体部４１ａと第２非給電用口金本体部４１ｂとをネジ４４によってネジ止めする。これにより、第２基台６０が非給電用口金４０に固定された状態で、非給電用口金４０を筐体２０の端部に取り付けることができる。
【００５９】
なお、非給電用口金４０にアース機能を持たせて、非給電用口金４０をアース用口金として用いても構わない。この場合、非給電ピン４２は、照明器具を介して接地されたアースピンとして機能し、金属製の第２基台６０とアース接続される。これにより、第２基台６０は、非給電ピン４２及び接続部材４３を介して接地される。
【００６０】
［基台］
第１基台５０及び第２基台６０は、いずれも金属製であり、ＬＥＤモジュール１０で発生する熱を放熱するヒートシンクとして機能するとともに、ＬＥＤモジュール１０を載置及び固定するための固定部材として機能する。
【００６１】
＜第１基台＞
第１基台５０は、図２に示すように、筐体２０の長手方向に延在する長尺状の金属基台であり、ヒートシンクの外郭を構成する。第１基台５０は、例えば、折り曲げ加工等により金属板を変形させることによって構成されている。本実施の形態において、第１基台５０は、薄板状の亜鉛めっき鋼板を用いて成形されている。
【００６２】
ここで、図２及び図３を参照しながら、第１基台５０の詳細構成について、図７、図８、図９を用いて説明する。図７は、本実施の形態に係る直管形ＬＥＤランプの第１基台の構成を示す図である。図８は、同第１基台の要部拡大斜視図（図７の破線で囲まれる領域Ｐの拡大図）であり、図９は、同第１基台の要部拡大斜視図（図７の破線で囲まれる領域Ｑの拡大図）である。
【００６３】
なお、図７において、（Ａ１）、（Ｂ１）及び（Ｃ１）は、それぞれ破線で囲まれる領域Ａ１、領域Ｂ１及び領域Ｃ１の一部拡大平面図であり、（Ａ２）、（Ａ３）、（Ｂ２）、（Ｂ３）、（Ｂ４）、（Ｃ２）及び（Ｃ３）は、それぞれ、Ａ２−Ａ２’線、Ａ３−Ａ３’線、Ｂ２−Ｂ２’線、Ｂ３−Ｂ３’線、Ｂ４−Ｂ４’線、Ｃ２−Ｃ２’線、Ｃ３−Ｃ３’線における断面図である。
【００６４】
図２、図３及び図７に示すように、第１基台５０は、筐体２０の長手方向に延在する長尺状の底面部５３と、底面部５３から衝立状に設けられるとともに筐体２０の長手方向に延設された第１壁部５１及び第２壁部５２とを有する。本実施の形態において、第１基台５０の断面視において、底面部５３と第１壁部５１及び第２壁部５２とのなす角は略９０°である。
【００６５】
第１壁部５１及び第２壁部５２は、底面部５３における第１基台５０の短手方向（基板１１の幅方向）の両端部に設けられており、ＬＥＤモジュール１０の基板１１を、当該基板１１の短手方向から挟むように構成されている。すなわち、第１壁部５１は基板１１の一方の側面に対面しており、第２壁部５２は基板１１の他方の側面に対面している。このように、ＬＥＤモジュール１０の基板１１は第１壁部５１と第２壁部５２とによって挟まれている。
【００６６】
また、第１壁部５１には、当該第１壁部５１から第２壁部５２に向かって突出する複数の第１突出部５１ａが形成されている。同様に、第２壁部５２には、当該第２壁部５２から第１壁部５１に向かって突出する複数の第２突出部５２ａが形成されている。
【００６７】
第１突出部５１ａ及び第２突出部５２ａは、第１基台５０及び第２基台６０に基板１１を固定するために形成されている。第１突出部５１ａ及び第２突出部５２ａは、第１基台５０を構成する金属板の一部を加工することによって形成されている。例えば、金属板からなる第１壁部５１及び第２壁部５２をエンボス加工することによって金属板の一部を突出させて形成することができる。これにより、別部材を用いることなく、簡単な構成によって、ＬＥＤモジュール１０を第１基台５０に固定することができる。
【００６８】
さらに、第１基台５０は、第１突出部５１ａの近傍に形成された第１切り欠き部５１ｂと、第２突出部５２ａの近傍に形成された第２切り欠き部５２ｂとを有する。本実施の形態において、第１切り欠き部５１ｂは、第１壁部５１と底面部５３（第１底面部５３ａ）とを跨るようにして切り欠かれており、第１基台５０の長手方向に沿ってスリット状に形成されている。同様に、第２切り欠き部５２ｂは、第２壁部５２と底面部（第１底面部５３ａ）とを跨るようにして切り欠かれており、第１基台５０の長手方向に沿ってスリット状に形成されている。第１切り欠き部５１ｂ及び第２切り欠き部５２ｂは、ＬＥＤモジュール１０（基板１１）を第１基台５０に押し込みやすくするために形成されている。
【００６９】
底面部５３は、段差部を有するように折り曲げ加工されており、第２基台６０及び基板１１を支持する第１底面部５３ａと、第１底面部５３ａよりも一段下に位置する第２底面部５３ｂとを有する。
【００７０】
また、図７の（Ａ１）、（Ａ２）及び（Ａ３）に示すように、第１基台５０には、第１底面部５３ａから上方（基板１１側）に向かって突出する一対の突起部５６が形成されている。一対の突起部５６は、第２基台６０の幅方向（短手方向）の移動を規制する規制部である。すなわち、一対の突起部５６の間に第２基台６０を配置させることによって、第２基台６０の幅方向の動きを規制することができる。
【００７１】
突起部５６は、第１基台５０を構成する金属板の一部を加工することによって形成されている。例えば、板状の底面部５３（第１底面部５３ａ）の一部を切って、底面部５３の垂直方向上方に突出させることによって形成することができる。
【００７２】
図７に示すように、本実施の形態において、一対の突起部５６は、第１基台５０の長手方向の両端部に設けられている。なお、一対の突起部５６は、反射部材７０の一対の貫通孔７４に挿通される。これにより、反射部材７０の動きも規制することができる。
【００７３】
また、図７の（Ｂ１）、（Ｂ２）、（Ｂ３）及び（Ｂ４）に示すように、第１基台５０の第２底面部５３ｂには、付勢部５５が形成されている。付勢部５５は、第１基台５０を構成する金属板の一部を加工することによって形成されている。例えば、図１０に示すように、板状の底面部５３（第２底面部５３ｂ）の一部を切り起こして形成された板バネとして構成することができる。なお、図３及び図７に示すように、本実施の形態では、第１基台５０に８個の付勢部５５が設けられている。
【００７４】
また、図７の（Ｃ１）、（Ｃ２）及び（Ｃ３）に示すように、第１基台５０の第２底面部５３ｂには、固定部５４が設けられている。固定部５４は、第１基台５０と筐体２０とを固定するために形成されている。例えば、固定部５４と筐体２０の内面との間に、シリコーン樹脂等の接着剤を介在させることによって、第１基台５０と筐体２０とを固着することができる。
【００７５】
固定部５４は、筐体２０の内面に向かって突出するように、第１基台５０の一部を変形させたものである。すなわち、第１基台５０の一部が筐体２０との固定機能を有しており、第１基台５０と筐体２０とを固定するための固定部材が別途設けられておらず、その固定部材が第１基台５０と一体的に構成されている。例えば、固定部５４は、第１基台５０の底面部５３（第２底面部５３ｂ）の一部を筐体２０の内面に向かって突出させるように変形することで構成される。本実施の形態において、固定部５４は、第１基台５０に形成された２本のスリットの間の部分（金属板）を突出させることによって構成されている。より具体的には、まず、底面部５３（第２底面部５３ｂ）に２本のスリットを並行させて形成し、この２本のスリットの間の部分を突出させる。これにより、固定部５４を形成することができる。
【００７６】
また、固定部５４は、接続部５４ａによって底面部５３（第２底面部５３ｂ）と接続されている。接続部５４ａは、固定部５４と第２底面部５３ｂとを繋ぐ部分であり、本実施の形態では、接続部５４ａの幅は固定部５４の幅よりも狭くしている。
【００７７】
また、固定部５４には、接着剤が塗布される部分として凹部５４ｂが形成されている。凹部５４ｂに接着剤を塗布することによって、接着剤が固定部５４からはみ出すことを抑制することができる。これにより、接着剤が固定部５４からはみ出して配光特性が劣化したり見栄えが悪くなったりすることを抑制できる。
【００７８】
また、固定部５４は、第１基台５０の長手方向に沿って断続的に複数形成されている。図３に示すように、本実施の形態では、第１基台５０に３つの固定部５４が設けられている。つまり、第１基台５０と筐体２０とは３箇所で固着される。
【００７９】
また、図３及び図７に示すように、第１基台５０には、第２基台６０の位置決めを行うための一対の突起部５７が形成されている。突起部５７は、第１基台５０を構成する金属板の一部を変形加工することによって形成されており、本実施の形態では、第１基台５０の一部を矩形状に切り起こすようにして形成されている。一対の突起部５７は、図６Ａ及び図６Ｂに示すように、第２基台６０の第３切り欠き部６３に係止される。これにより、第１基台５０と第２基台６０との相対的な位置が決定される。また、突起部５７によって、第２基台６０の長手方向の動きも規制することができる。
【００８０】
なお、図７に示すように、一対の突起部５７は、第１基台５０の長手方向の一方の端部（紙面の右側端部のみ）に設けられている。また、一対の突起部５７は、反射部材７０の一対の貫通孔７５に挿通される。これにより、反射部材７０の位置決めも行うことができる。
【００８１】
また、図７に示すように、第１基台５０には、回路カバー８５を第１基台５０に装着するための凸部５８が形成されている。凸部５８は、第１壁部５１及び第２壁部５２の各々において外側に突出するように形成されている。本実施の形態では、第１壁部５１及び第２壁部５２の一部を切って左右に膨らませるように変形させることで凸部５８を構成している。
【００８２】
＜第２基台＞
第２基台６０は、第１基台５０とＬＥＤモジュール１０との間に配置される中板ヒートシンクである。図２及び図３に示すように、第２基台６０は、第１基台５０と同様に、筐体２０の長手方向に延在する長尺状の金属基台である。第２基台６０は、金属等の高熱伝導性材料によって構成することが好ましく、本実施の形態では、アルミ板である。第２基台６０の板厚は、第１基台５０の板厚よりも厚くなるように構成されている。また、第２基台６０は、第１基台５０の長さよりも長くなるように構成されている。つまり、第２基台６０の両端部の各々は給電用口金３０又は非給電用口金４０によって覆われており、上述のように、第２基台６０は給電用口金３０及び非給電用口金４０に取り付けられる。
【００８３】
また、第２基台６０には、第１切り欠き部６１と第２切り欠き部６２とが設けられている。第１切り欠き部６１及び第２切り欠き部６２は、当該第２基台６０の一部を切り欠くことによって形成されている。また、第１切り欠き部６１及び第２切り欠き部６２は、ＬＥＤモジュール１０の基板１１の端縁と重なる位置に設けられている。
【００８４】
図３に示すように、第１切り欠き部６１は、第２基台６０上に隣接して配置された基板１１の境界部分（境界線）と重なる位置に設けられている。つまり、第１切り欠き部６１は、基板１１の境界線を覆うように形成されている。本実施の形態において、第１切り欠き部６１は、各ＬＥＤモジュール１０におけるＬＥＤ１２のうち第２基台６０に最も近い位置に存在するＬＥＤ１２の近傍に設けられている。なお、第１切り欠き部６１は、図５Ｂに示すように、隣接する回路基板８１と基板１１との境界部分と重なる位置に設けてもよい。
【００８５】
本実施の形態における第１切り欠き部６１は、第２基台６０を貫通する貫通孔であり、平面視において、第２基台６０の長手方向に延びるレーストラック形状の開口である。
【００８６】
第２切り欠き部６２は、ＬＥＤモジュール１０の接続端子１４の近傍に設けられている。より具体的には、第２切り欠き部６２は、接続端子１４の下方にまで位置するように第２基台６０の長辺端縁から基台内部に向かって後退するように切り欠くようにして形成されている。なお、本実施の形態において、第２切り欠き部６２は、両方の長辺端縁から内部に向かって後退するように形成されている。
【００８７】
また、第２基台６０には、一対の突起部５７が係止される第３切り欠き部６３が設けられている。第３切り欠き部６３は、第２基台６０の一部を切り欠くことによって形成されている。本実施の形態において、第３切り欠き部６３は、両方の長辺端縁から内部に向かって後退するように形成されている。また、第３切り欠き部６３は、一対の突起部５７に対応するように、第２基台６０の長手方向の一方の端部に設けられている。
【００８８】
［反射部材］
反射部材７０は、ランプの光取り出し効率を向上させるために、ＬＥＤモジュール１０（ＬＥＤ１２）が発する光を一定の方向に反射するように構成されている。反射部材７０は、電気絶縁性及び光反射性を有する材料によって構成されており、例えば、二軸延伸ポリエステル（ＰＥＴ）フィルム等からなる絶縁性の反射シートを折り曲げ加工することによって構成することができる。
【００８９】
図２に示すように、反射部材７０は、断面コの字状に加工されており、第１反射壁部７１と第２反射壁部７２と底面部７３とによって構成されている。第１反射壁部７１と第２反射壁部７２と底面部７３の各々は、第１基台５０の長手方向に沿って延設されている。ＬＥＤモジュール１０からの光は、第１反射壁部７１及び第２反射壁部７２の内面によって反射される。
【００９０】
また、第１反射壁部７１は、第１基台５０における第１壁部５１の第１突出部５１ａに対応する位置に設けられた第１切り欠き部７１ａを有する。同様に、第２反射壁部７２は、第１基台５０における第２壁部５２の第２突出部５２ａに対応する位置に設けられた第２切り欠き部７２ａを有する。
【００９１】
第１切り欠き部７１ａ及び第２切り欠き部７２ａは、第１基台５０の第１突出部５１ａ及び第２突出部５２ａとの衝突を避けるために、第１反射壁部７１及び第２反射壁部７２の上端縁から下方に向かって切り欠くように形成されている。これにより、反射部材７０を第１基台５０に配置したときに、第１基台５０の第１突出部５１ａ及び第２突出部５２ａは、第１反射壁部７１及び第２反射壁部７２から突出する。
【００９２】
また、反射部材７０の長手方向の両端部には、一対の貫通孔７４が設けられている。貫通孔７４には、第１基台５０の突起部５６が挿入される。さらに、反射部材７０の長手方向の一方の端部には、一対の貫通孔７５が設けられている。貫通孔７５には、第１基台５０の突起部５７が挿通される。
【００９３】
［点灯回路］
点灯回路８０は、ＬＥＤモジュール１０におけるＬＥＤ１２の点灯状態を制御するためのＬＥＤ点灯回路であって、本実施の形態では、入力された直流電流を整流して出力する。図２に示すように、点灯回路８０は、回路基板８１と、回路基板８１に実装された複数の回路素子８２とを備える。
【００９４】
回路基板８１は、実装された複数の回路素子８２を互いに電気的に接続するための所定の配線パターン（不図示）が形成されたプリント基板であり、例えばガラスエポキシ基板等を用いることができる。
【００９５】
回路素子８２は、ＬＥＤモジュール１０のＬＥＤ１２を点灯させるための電子部品であり、例えば入力された直流電力を全波整流するダイオードブリッジ回路（整流回路）及びヒューズ素子等である。回路素子８２としては、その他必要に応じて、抵抗、コンデンサ、コイル、ダイオード又はトランジスタ等を備えてもよい。
【００９６】
また、点灯回路８０は、給電用口金３０に設けられた一対の給電ピン３２から直流電力を受電する入力ソケット８３（入力部）と、ＬＥＤモジュール１０に対して直流電力を出力する出力ソケット８４（出力部）とを備える。入力ソケット８３には、リード線３３を介して一対の給電ピン３２と電気的に接続された入力コネクタ端子が差し込まれる。また、出力ソケット８４には、リード線（コネクタ線９０）を介してＬＥＤモジュール１０と電気的に接続された出力コネクタ端子が差し込まれる。なお、入力ソケット８３及び出力ソケット８４は、回路基板８１に形成された配線パターンによって所定の回路素子８２と電気的に接続されている。
【００９７】
このように構成される点灯回路８０は、第２基台６０上に載置され、回路カバー８５によって覆われる。回路カバー８５は、絶縁樹脂によって構成されており、点灯回路８０を保護するとともに、他の部品との絶縁性を確保する。回路カバー８５には、第１基台５０の凸部５８が係止される係止穴が形成されており、図５Ａ及び図５Ｂに示すように、回路カバー８５の係止穴に第１基台５０の凸部５８を係止させることで、回路カバー８５を第１基台５０に固定することができる。
【００９８】
なお、点灯回路８０（回路基板８１）は、第２基台６０上ではなく、ＬＥＤモジュール１０の基板１１の上に載置しても構わない。この場合、点灯回路８０を載置する分だけ基板１１の長さを長くすればよい。また、回路基板８１を用いずに、ＬＥＤモジュール１０の基板１１を回路基板とし、基板１１の上に回路素子８２を直接実装するように構成してもよい。この場合、基板１１上に入力ソケット８３を設け、給電ピン３２と入力ソケット８３とをリード線３３によって電気的に接続し、入力ソケット８３と回路素子８２とを基板１１上の配線パターンによって電気的に接続すればよい。また、回路素子８２からの出力（整流後の直流電力）は、基板１１上に配線パターンを形成することで、ＬＥＤ１２に供給することができる。
【００９９】
［コネクタ線］
コネクタ線９０は、隣接するＬＥＤモジュール１０同士を電気的及び物理的に接続したり、ＬＥＤモジュール１０と点灯回路８０とを電気的及び物理的に接続したりする。
【０１００】
図２に示すように、コネクタ線９０は、ＬＥＤモジュール１０の接続端子１４に装着される一対の装着部（コネクタ部）９１と、一対の装着部９１を電気的に接続する導電線であってＬＥＤモジュール１０に供給する電力を通すための電力供給線９２とを有する。
【０１０１】
装着部９１は、電力供給線９２の両端部に設けられており、ＬＥＤモジュール１０の接続端子（ソケット）１４と嵌合するように構成された略矩形状の樹脂成形部と、当該樹脂成形部に設けられた導電部とからなる。また、電力供給線９２は、ハーネスと呼ばれる金属線が樹脂被膜されたリード線によって構成することができる。本実施の形態において、コネクタ線９０は直流電力を通すように構成されており、電力供給線９２は、正電圧を供給する正電圧供給線と負電圧を供給する負電圧供給線とからなる。
【０１０２】
本実施の形態において、筐体２０内には４つの長尺状のＬＥＤモジュール１０が配置されているので、４つのコネクタ線９０を用いている。具体的には、給電用口金３０側に配置されたＬＥＤモジュール１０の接続端子１４と点灯回路８０の出力ソケット８４とを接続する１つのコネクタ線９０と、隣り合うＬＥＤモジュール１０の接続端子１４同士を接続する３つのコネクタ線９０とを用いている。これにより、コネクタ線９０を介して、点灯回路８０からＬＥＤモジュール１０へと直流電力が供給されるとともに、一方のＬＥＤモジュール１０から他方のＬＥＤモジュール１０へと電力が供給される。
【０１０３】
各コネクタ線９０については、基板１１に対する電力供給線９２の位置（基板１１の主面垂直方向の高さ位置）が一定となるように、接続端子１４に取り付ける前に、予め電力供給線９２の形状を所定形状にフォーミングしている。具体的には、電力供給線９２は、基板１１の第１主面に対して水平な方向に屈曲又は湾曲するように変形されており、基板１１の第１主面に対して垂直な方向には変形されていない。これにより、コネクタ線９０（電力供給線９２）の影によって配光特性が劣化することを抑制することができる。なお、各コネクタ線９０の電力供給線９２は、シリコーン樹脂又は両面テープによって基板１１に固着されていてもよい。
【０１０４】
［各構成の位置関係］
次に、図１０、図１１Ａ、図１１Ｂ及び図１１Ｃを用いて、筐体２０内に収納されたときにおける、ＬＥＤモジュール１０、第１基台５０、第２基台６０及び反射部材７０等の位置関係及び接続関係について詳細に説明する。図１０は、本実施の形態に係る直管形ＬＥＤランプの一部拡大側面図である。図１１Ａは、図１０のＡ−Ａ’線における同直管形ＬＥＤランプの断面図であり、図１１Ｂは、図１０のＢ−Ｂ’線における同直管形ＬＥＤランプの断面図であり、図１１Ｃは、図１０のＣ−Ｃ’線における同直管形ＬＥＤランプの断面図である。
【０１０５】
図１１Ａ〜図１１Ｃに示すように、第１基台５０における第１突出部５１ａ及び第２突出部５２ａは、ＬＥＤモジュール１０における基板１１の第１主面側に当接されるように構成されている。具体的に、第１突出部５１ａ及び第２突出部５２ａは、基板１１の第１主面側において係止するような係止爪として形成されている。これにより、ＬＥＤモジュール１０における基板１１は、基板１１の第１主面に対して垂直な方向における動きが規制される。つまり、第１突出部５１ａ及び第２突出部５２ａによって、ＬＥＤモジュール１０は、基板１１の垂直方向に飛び出さないようにして第１基台５０に固定されている。
【０１０６】
このように構成することで、直管形ＬＥＤランプ１を照明器具に取り付けた後であっても（すなわち、当該ＬＥＤモジュール１０が第１基台５０よりも地面側に位置するようになった場合であっても）、ＬＥＤモジュール１０は、第１突出部５１ａ及び第２突出部５２ａによって第１基台５０から外れ落ちないようになっている。このように、第１突出部５１ａ及び第２突出部５２ａによって基板１１を押さえているので、ネジや接着剤等を用いることなく、ＬＥＤモジュール１０を第１基台５０に容易に固定することができる。また、ＬＥＤモジュール１０（基板１１）を第１基台５０に押し込むことでＬＥＤモジュール１０を第１基台５０に固定することができるので、ＬＥＤモジュール１０と第１基台５０との組み立てを簡便に行うことができる。
【０１０７】
なお、第１突出部５１ａ及び第２突出部５２ａでは、振動や衝撃等によって基板１１が第１基台５０から脱落しにくいように、第１突出部５１ａ又は第２突出部５２ａにおける基板１１の第１主面側の形状が、第１主面に対向するような略平面となっている。一方、第１突出部５１ａ又は第２突出部５２ａにおける第１主面側とは反対側の形状は、基板１１を第１突出部５１ａ又は第２突出部５２ａに当接させて挿入する際、基板１１を第１突出部５１ａ又は第２突出部５２ａに対して押し込みやすくするために、略テーパ状となっている。
【０１０８】
また、図１１Ａ〜図１１Ｃに示すように、第１基台５０の底面部５３には、第１底面部５３ａと第２底面部５３ｂとによって段差部が構成されている。この段差部によって、第１基台５０の底面部５３（第２底面部５３ｂ）と反射部材７０との間には空間領域が構成され、この空間領域を利用して板バネの付勢部５５が設けられている。
【０１０９】
付勢部５５は、反射部材７０に当接するように構成されており、板バネの弾性力による付勢によって反射部材７０（第２基台６０）に対して押圧を付与している。つまり、付勢部５５は、ＬＥＤモジュール１０における基板１１の第２主面に向かって（すなわち、基板１１の第２主面から第１主面に向かう方向に）、第１基台５０、第２基台６０及び反射部材７０を付勢するように構成されている。
【０１１０】
このように、ＬＥＤモジュール１０の基板１１は付勢部５５によって付勢されており、当該付勢部５５による弾性力によって押圧が付与されている。これにより、ＬＥＤモジュール１０の基板１１は、第１突出部５１ａ及び第２突出部５２ａと付勢部５５とによって押圧を受けた状態で挟持される。すなわち、基板１１は、第１主面及び第２主面の両側の面から押さえられる状態となるので、基板１１を第１基台５０に強固に保持させることができる。また、付勢部５５は第１基台５０の一部を加工することによって形成されているので、簡単な構成によって基板１１の保持性能を向上させることができる。
【０１１１】
また、本実施の形態では、図１１Ｃに示すように、第１突出部５１ａの近傍に第１切り欠き部５１ｂが形成され、第２突出部５２ａの近傍に第２切り欠き部５２ｂが形成されている。これにより、基板１１を第１基台５０に固定する際、第１突出部５１ａ及び第２突出部５２ａの周辺部を容易に弾性変形させることができる。したがって、基板１１を第１基台５０の第１突出部５１ａ及び第２突出部５２ａに容易に嵌め込むことができ、基板１１を容易に第１基台５０に固定することができる。
【０１１２】
また、図１０及び図１１Ａに示すように、第１基台５０の固定部５４と筐体２０の内面との間には、固定部５４と筐体２０とを接着固定するための接着剤が充填されている。このように、固定部５４と筐体２０の内面とを接着剤によって接着させることで、第１基台５０を筐体２０に固定することができる。なお、固定部５４と筐体２０との接着は、例えば、固定部５４の凹部５４ｂにシリコーン樹脂を塗布して、第１基台５０を筐体２０の所定の位置に配置してシリコーン樹脂を硬化させることによって行うことができる。
【０１１３】
図１１Ａ〜図１１Ｃに示すように、第２基台６０は、ＬＥＤモジュール１０と第１基台５０との間に挟まれており、第２基台６０の上には、ＬＥＤモジュール１０（基板１１）が載置される。ＬＥＤモジュール１０を第１基台５０に固定することによって、第２基台６０も第１基台５０に固定される。
【０１１４】
また、第２基台６０は、反射部材７０を介して第１基台５０の第１底面部５３ａに載置されており、第２基台６０の第１基台５０側の面（裏面）は、反射部材７０を介して第１基台５０における付勢部５５の弾性力（付勢力）によって付勢されている。
【０１１５】
なお、第２基台６０は、基板１１と接触するようにして、ＬＥＤモジュール１０（基板１１）と第１基台５０との間に配置されている。これにより、ＬＥＤ１２で発生した熱を、基板１１を介して第２基台６０に効率よく伝達させることができる。
【０１１６】
このように、本実施の形態では、ヒートシンクとして、加工しやすい薄板状の鋼板からなる第１基台５０を用いるともに、熱伝導率の高いアルミニウムからなる第２基台６０を用いている。これにより、ＬＥＤモジュール１０の固定等を簡単に行うことができるとともに放熱性に優れたヒートシンクを実現することができる。
【０１１７】
また、図１１Ａ〜図１１Ｃに示すように、反射部材７０における第１反射壁部（第１反射面部）７１及び第２反射壁部（第２反射面部）７２は、第１基台５０の底面部５３の短手方向（基板１１の幅方向）の両端部に形成されており、ＬＥＤモジュール１０の基板１１を当該基板１１の短手方向から挟むように構成されている。すなわち、第１反射壁部７１は基板１１の一方の側面に対面し、第２反射壁部７２は基板１１の他方の側面に対面している。
【０１１８】
第１反射壁部７１は、第１基台５０の第１壁部５１の内側に位置し、本実施の形態において、第１反射壁部７１の外面は、第１壁部５１の内面と面接触している。一方、第２反射壁部７２は、第１基台５０の第２壁部５２の内側に位置し、本実施の形態において、第２反射壁部７２の外面は、外面が第２壁部５２の内面と面接触している。
【０１１９】
また、反射部材７０（底面部７３）は、第１基台５０の第１底面部５３ａ上に載置され、反射部材７０（底面部７３）の上には、第２基台６０及び基板１１が配置される。つまり、反射部材７０は、第１基台５０と第２基台６０との間に配置されている。反射部材７０の底面部７３は、第１基台５０の付勢部５５の弾性力によって付勢されている。
【０１２０】
また、図１０に示すように、第１基台５０における第１壁部５１及び第２壁部５２の高さと、反射部材７０における第１反射壁部７１及び第２反射壁部７２の高さとはほぼ同じにしているが、本実施の形態では、第１壁部及び第２壁部５２の高さは一定であるので、第１壁部５１及び第２壁部５２の高さの方を高くする方がよい。このようにすることで、ＬＥＤモジュール１０の光を遮る部分の形状をストレートにすることができるので（つまり、第１壁部５１及び第２壁部５２によって生じる影のエッジをストレートにできるので）、良好な配光特性を実現することができる。
【０１２１】
以上、本実施の形態における直管形ＬＥＤランプ１によれば、第１基台５０の一部を変形させることで構成された固定部５４と筐体２０とを接着剤で固着することによって、第１基台５０と筐体２０とを固定している。
【０１２２】
これにより、変形させた第１基台５０の一部（固定部５４）が筐体２０との固定部材として機能を有する。つまり、第１基台５０が固定部材の機能を兼ね備えている。これにより、第１基台５０と筐体２０とを固定するためだけに別途他の固定部材を用いる必要がない。したがって、他の固定部材を用いることによって第１基台５０と筐体２０との組み立てが煩雑化したり高コスト化したりすることを防止できる。
【０１２３】
また、固定部５４は、第１基台５０の一部を変形させることによって構成されている。これにより、筐体２０は、第１基台５０の裏面全部ではなく裏面の一部と固着される。この結果、筐体２０に反りが発生することを抑制できる。しかも、第１基台５０の裏面全面と接着する場合と比べて、第１基台５０と筐体２０との接着面積を大幅に減少させることができる。したがって、接着剤の使用量を大幅に削減することができる。
【０１２４】
さらに、本実施の形態において、固定部５４と第２底面部５３ｂとを繋ぐ接続部５４ａの幅は、固定部５４の幅よりも狭くなっている。これにより、接続部５４ａでの機械的強度を緩和することができるので、固定部５４に弾性力（バネ性）を持たせることができる。この結果、接着剤を硬化させる際の第１基台５０及び筐体２０の熱収縮率差、又は第１基台５０と筐体２０との熱膨張率差（熱膨張係数差）等によって生じる第１基台５０又は筐体２０への応力を、固定部５４によって吸収（緩和）することができる。したがって、筐体２０の反りを抑制することができる。さらに、接続部５４ａの幅を固定部５４の幅よりも狭くすることで接続部５４ａの機械的強度を緩和できるので、固定部５４を成形する際、第２底面部５３ｂを変形させやすくすることができる。これにより、容易に第２底面部５３ｂの一部を突出変形させることができる。
【０１２５】
さらに、本実施の形態において、固定部５４は、第１基台５０の長手方向に沿って断続的に複数形成されている。すなわち、筐体２０と第１基台５０との接着部分が断続的に設けられている。これにより、接着剤を硬化させる際の第１基台５０又は筐体２０への応力を分散させることができるので、筐体２０の反りを効果的に抑制することができる。
【０１２６】
さらに、本実施の形態において、筐体２０はガラス製であり、第１基台５０は亜鉛めっき鋼板である。これにより、第１基台５０をアルミ材とするよりも熱膨張率をガラスに近づけることができ、第１基台５０と筐体２０との熱膨張係差を小さくすることができる。したがって、第１基台５０と筐体２０との熱膨張率差により筐体２０の反りを一層抑制することができる。
【０１２７】
（照明装置）
次に、本発明の実施の形態に係る照明装置２について、図１２を用いて説明する。図１２は、本実施の形態に係る照明装置の概観斜視図である。
【０１２８】
図１２に示すように、本実施の形態に係る照明装置２は、ベースライトであって、直管形ＬＥＤランプ１と照明器具１００とを備える。
【０１２９】
図１２に示す直管形ＬＥＤランプ１としては、上記実施の形態における直管形ＬＥＤランプ１が照明用光源として用いられる。なお、本実施の形態では、図１２に示すように、２本の直管形ＬＥＤランプ１を用いている。
【０１３０】
照明器具１００は、直管形ＬＥＤランプ１と電気的に接続され、かつ、当該直管形ＬＥＤランプ１を保持する一対のソケット１１０と、ソケット１１０が取り付けられる器具本体１２０とを備える。器具本体１２０は、例えばアルミ鋼板をプレス加工等することによって成形することができる。また、器具本体１２０の内面は、直管形ＬＥＤランプ１から発せられた光を所定方向（例えば、下方）に反射させる反射面となっている。
【０１３１】
このように構成される照明器具１００は、例えば天井等に固定具を介して装着される。なお、照明器具１００には、直管形ＬＥＤランプ１の点灯を制御するための電源回路等が内蔵されている。また、直管形ＬＥＤランプ１を覆うように透光性のカバー部材が設けられていてもよい。
【０１３２】
以上のように、本実施の形態に係る直管形ＬＥＤランプ１は、照明装置等として実現することができる。
【０１３３】
（変形例等）
以上、本発明に係る照明用光源及び照明装置について、実施の形態に基づいて説明したが、本発明は、上記の実施の形態に限定されるものではない。
【０１３４】
例えば、上記実施の形態において、第１基台５０における第１壁部５１及び第２壁部５２の高さは一定としたが、これに限らない。例えば、図１３に示すように、第１壁部５１及び第２壁部５２の高さを接続端子１４の近傍において他の部分と比べて低くしても構わない。これにより、接続端子１４と第１基台５０との間での沿面放電の発生を抑制することができる。この場合、第１壁部５１及び第２壁部５２の高さの高低差が繰り返されて第１壁部５１及び第２壁部５２の上端縁形状によって生じる影が凸凹するので、同図のように、第１壁部５１及び第２壁部５２の高さよりも、反射部材７０における第１反射壁部７１及び第２反射壁部７２の高さを高くすることが好ましい。さらに、第１壁部５１及び第２壁部５２の高さを接続端子１４の近傍において低くする場合は、同図に示すように、第１壁部５１及び第２壁部５２の高さを漸次低くして、第１壁部５１及び第２壁部５２の高さを滑らかに変化させることが好ましい。これにより、仮に、第１基台５０における第１壁部５１及び第２壁部５２の高さが反射部材７０における第１反射壁部７１及び第２反射壁部７２の高さよりも高くなったとしても、ＬＥＤモジュール１０の光を遮る部分の形状を滑らかなラインにすることができる。これにより、良好な配光特性を実現することができる。
【０１３５】
また、上記実施の形態において、ＬＥＤモジュールは基板上にＬＥＤチップを直接実装したＣＯＢ型の構成としたが、これに限らない。例えば、図１４に示すように、樹脂製のパッケージ（容器）１２ａの凹部の中にＬＥＤチップ（発光素子）１２ｂを実装して当該凹部内に封止部材（蛍光体含有樹脂）１２ｃを封入したパッケージ型のＬＥＤ素子（ＳＭＤ型ＬＥＤ素子）１２Ａを用いて、このＬＥＤ素子１２Ａを金属配線が形成された基板１１上に複数個実装することで構成されたＳＭＤ型のＬＥＤモジュール１０Ａを用いても構わない。
【０１３６】
また、上記実施の形態において、直管形ＬＥＤランプ１は、給電用口金３０のみの片側から給電を受ける片側給電方式としたが、両側から給電を受ける両側給電方式としても構わない。この場合、非給電用口金４０に代えて、給電用口金３０を設ければよい。
【０１３７】
また、上記実施の形態において、給電用口金３０及び非給電用口金４０は、２分割された分割型の口金としたが、分割されていない非分割型の口金としても構わない。
【０１３８】
また、上記実施の形態において、給電用口金本体３１及び非給電用口金本体４１の少なくともいずれか一方の内周面に、筐体２０の長手方向の端縁と当接する環状の凸部（リブ）を周方向に沿って形成してもよい。これにより、筐体２０の管軸方向の動きを規制することができる。また、筐体２０内に、虫やホコリ、水分が侵入することを抑制することができ、配線がショートしたり筐体２０内の電子部品が劣化したり虫の死骸によって見栄えが悪くなることを防止することができる。
【０１３９】
また、上記実施の形態において、ＬＥＤモジュール１０は、青色ＬＥＤチップと黄色蛍光体とによって白色光を放出するように構成したが、これに限らない。例えば、赤色蛍光体及び緑色蛍光体を含有する蛍光体含有樹脂を用いて、これと青色ＬＥＤチップとを組み合わせることによりに白色光を放出するように構成しても構わない。また、ＬＥＤチップは、青色以外の色を発光するＬＥＤチップを用いても構わない。例えば、紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１４０】
また、上記実施の形態において、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）又は無機ＥＬ等の発光素子を用いてもよい。
【０１４１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【０１４２】
本発明は、ＬＥＤ等の発光素子を用いた照明用光源、特に直管形ＬＥＤランプに有用であり、照明装置等において広く利用することができる。
【符号の説明】
【０１４３】
１  直管形ＬＥＤランプ
２  照明装置
１０、１０Ａ  ＬＥＤモジュール
１１  基板
１２  ＬＥＤ
１２Ａ  ＬＥＤ素子
１２ａ  パッケージ
１２ｂ  ＬＥＤチップ
１２ｃ、１３  封止部材
１４  接続端子
２０  筐体
３０  給電用口金
３１  給電用口金本体
３１ａ  第１給電用口金本体部
３１ｂ  第２給電用口金本体部
３２  給電ピン
３３  リード線
３４、４４  ネジ
３５  凸部
４０  非給電用口金
４１  非給電用口金本体
４１ａ  第１非給電用口金本体部
４１ｂ  第２非給電用口金本体部
４２  非給電ピン
４３  接続部材
５０  第１基台
５１  第１壁部
５１ａ  第１突出部
５１ｂ、６１、７１ａ  第１切り欠き部
５２  第２壁部
５２ａ  第２突出部
５２ｂ、６２、７２ａ  第２切り欠き部
５３、７３  底面部
５３ａ  第１底面部
５３ｂ  第２底面部
５４  固定部
５４ａ  接続部
５４ｂ  凹部
５５  付勢部
５６、５７  突起部
５８  凸部
６０  第２基台
６３  第３切り欠き部
７０  反射部材
７１  第１反射壁部
７２  第２反射壁部
７４、７５  貫通孔
８０  点灯回路
８１  回路基板
８２  回路素子
８３  入力ソケット
８４  出力ソケット
８５  回路カバー
９０  コネクタ線
９１  装着部
９２  電力供給線
１００  照明器具
１１０  ソケット
１２０  器具本体
【図１】
2014072153.tif 000003
【図２】
2014072153.tif 000004
【図３】
2014072153.tif 000005
【図４】
2014072153.tif 000006
【図５Ａ】
2014072153.tif 000007
【図５Ｂ】
2014072153.tif 000008
【図６Ａ】
2014072153.tif 000009
【図６Ｂ】
2014072153.tif 000010
【図７】
2014072153.tif 000011
【図８】
2014072153.tif 000012
【図９】
2014072153.tif 000013
【図１０】
2014072153.tif 000014
【図１１Ａ】
2014072153.tif 000015
【図１１Ｂ】
2014072153.tif 000016
【図１１Ｃ】
2014072153.tif 000017
【図１２】
2014072153.tif 000018
【図１３】
2014072153.tif 000019
【図１４】
2014072153.tif 000020